(57)【特許請求の範囲】
【請求項１】
放射エネルギー収集装置であって、
一次軸線と、焦点ラインとを有する一次集光鏡と、
前記焦点ラインに隣り合って配設され、前記一次集光鏡からのエネルギーを受け取る二次集光鏡アセンブリと、
を含み、
該二次集光鏡アセンブリが、前記一次軸線の各側に離間して配設された一対の平坦な反射体にして、実質的に平行な平面内に位置付けられ且つ相互に対面し、前記一次軸線を含む平面と実質的に平行とされ、一次集光鏡に近接する近接縁部が、該一次集光鏡の焦点ラインに隣り合わせて、あるいは該焦点ラインと実質的に整合するように配置した一対の平坦な反射体と、
該一対の平坦な反射体間に取付けられ、焦点ラインを有し、該焦点ラインを中心として回転運動するよう取り付けられたパラボラ形状の二次集光鏡と、
を有する放射エネルギー収集装置。
【請求項２】
一対の平坦な反射体が細長の反射部材を含み、該反射部材が一次軸線の各側の等距離の位置に配列される請求の範囲１に記載の放射エネルギー収集装置。
【請求項３】
二次集光鏡が、一次集光鏡の一次軸線と実質的に直交する方向に伸延する焦点ラインを中心とするパラボラ形状の反射体を含む請求の範囲１に記載の放射エネルギー収集装置。
【請求項４】
パラボラ形状の反射体の各側方縁部が、実質的に一対の平坦な反射体に向けて伸延される請求の範囲３に記載の放射エネルギー収集装置。
【請求項５】
パラボラ形状の反射体が、該パラボラ形状の反射体の通径を越えては伸延しない請求の範囲３に記載の放射エネルギー収集装置。
【請求項６】
一対の平坦な反射体の下方縁部が直線状とされ、該直線状の下方縁部が相互に平行に伸延し且つ共通平面内にある請求の範囲１に記載の放射エネルギー収集装置。
【請求項７】
一次集光鏡が、相互的に角度付けされることにより、該一次集光鏡の焦点ライン上にエネルギーを集中させるためのパラボラ形状の一次集光鏡の複合体を形成する細長の複数の反射要素を有している、請求の範囲１に記載の放射エネルギー収集装置。
【請求項８】
二次集光鏡アセンブリがフレネル鏡を含む請求の範囲１に記載の放射エネルギー収集装置。
【請求項９】
二次集光鏡の焦点ラインに沿って位置付けられ、該二次集光鏡により集中された太陽エネルギーを受けるための太陽エネルギー受け取り手段を含む請求の範囲１に記載の放射エネルギー収集装置。
【請求項１０】
エネルギー吸収流体を収納するようになっている管状部材を有する請求の範囲９に記載の放射エネルギー収集装置。
【請求項１１】
管状部材が、該管状部材からのエネルギー吸収流体を受け且つエネルギー吸収流体を該管状部材に送り込むための共通の流体流れマニホルドに結合される請求の範囲１０に記載の放射エネルギー収集装置。
【請求項１２】
パラボラ形状の反射体が、一対の平行な反射体間で離間した長手方向位置に取り付けられ、パラボラ形状の反射体の回転位置を同時に調節するための手段を更に有する請求の範囲３に記載の放射エネルギー収集装置。
【請求項１３】
各パラボラ形状の反射体の、該パラボラ形状の反射体が一対の平行な反射体の下方縁部と交差する位置における接線が、前記下方縁部との間に、一次集光鏡の焦点ラインを含み且つ実質的に９０°以下に小さくならない角度を形成する請求の範囲３に記載の放射エネルギー収集装置。
【請求項１４】
一次集光鏡が細長のパラボラ形状の反射体を有する請求の範囲１に記載の放射エネルギー収集装置。
【発明の詳細な説明】
（発明の分野）
本発明は放射エネルギー収集装置の改良に関し、詳しくは改良型の太陽エネルギー集中装置に関する。
（発明の背景）
太陽光収集器はしばしば、エネルギー収集媒体を高温化させる組立て構成とされる。従来、太陽エネルギーはパラボラ集光鏡を使用して集光されている。安価であると言う理由から円筒パラボラ形状の集光器が使用されるが、円筒パラボラ形状の集光器で高い集光率を達成することは出来ない。集光率は、球形パラボラ形状の集光鏡を使用すると容易に高めることが出来る。しかしながらそうした球形パラボラ形状の集光鏡は太陽光加熱用途に於ては極めて高価なものとなる。
円筒パラボラ形状の一次集光鏡を有する円筒パラボラ集光鏡システムを使用して高い集光率を得るためには、円筒パラボラ形状の一連の二次集光鏡を、一次集光鏡の焦点ラインと直角で且つ一次パラボラ鏡の焦点の位置に配置する。これらの二次集光鏡が、熱吸収媒体を担持するエネルギー収集パイプに太陽エネルギーを集中する。この配列構成は米国特許第４，２８１，６４０号に記載される。
しかし、太陽が一次集光鏡の焦点ラインと直角となる真上以外の任意の位置にある時は、二次集光鏡の、一次集光鏡から離れた焦点ラインに位置する反射面は少なくなる。
つまり二次集光鏡の反射面の大部分は一次集光鏡からの太陽光の焦点から外れてしまうので、各二次集光鏡を長くして一次集光鏡からの太陽光をもっと広い反射面で捕えられるようにする必要がある。二次集光鏡に関連するエネルギー収集パイプもそれに伴い長くする必要がある。
一次集光鏡により得られる最大集光率を二次集光鏡で利用出来ないことが、この構成のシステムの総最大集光率を著しく低くしている。更に、各二次集光鏡が長いことが、その製造コストを実質的に押し上げている。エネルギー収集パイプが長いと熱損失量も大きくなる。
太陽エネルギー集中装置では、構造上、熱収集及び熱伝達用の媒体は、通常、パイプシステムを通して送られる。パイプの、太陽エネルギーを集中させる熱収集セクションは必然的に高温となり、特には、再放射熱損失を生じやすくなる。
そうした再放射熱損失を最小化するために、パイプの熱収集セクションをしばしばガラス管で包囲し、その隙間部分を高真空状態に維持することが行われる。しかし、この高真空状態を管理するのは再放射熱損失を最小化するために一般的に最も重要であるのに、その実施と維持とはしばしば困難である。外側のガラス管が低温で内側のエネルギー収集パイプが高温となることから、ガラス管の長手方向での熱膨張率が不均一となり、ガラス管は壊れやすくなる。
本発明は、前記従来システムの不利益の１つ以上を解決し或は実質的に改善することによりそうしたシステムの有益性を増長させることを目的とする。
（発明の概要）
本発明の１様相に従えば、太陽エネルギーを焦点ライン上に集中する円筒パラボラ形状の一次集光鏡を有する放射エネルギー収集アセンブリーが提供される。
細長く平坦な一対の平行な側方鏡が、一次集光鏡の一次軸線を含む平面と平行に伸延され且つこの一次集光鏡の一次軸線の各側の等距離の位置に配列される。一対の側方鏡は、一次集光鏡に近接する側の近接縁部を、この一次集光鏡の実質的な焦点ライン位置に或は焦点ラインに隣り合わせて配置することで、一対の側方鏡の内部に集中される光線量を最大化することが出来る。一対の側方鏡の前記縁部は直線とされ、共通平面内に配設される。
一対の側方鏡は、一次集光鏡の焦点ラインに集中された太陽光線を捕捉し、また一次集光鏡の形態上の若干のエラーに基く、焦点ライン位置に正確には集中されなかった光線をも追加的に捕捉出来るような所定間隔で配置される。この配置により、フレネルフォーマットの平坦な鏡を一次集光鏡として使用することも可能となる。
一対の側方鏡間には、円筒パラボラ形状の二次集光鏡を取り付け、これにより二次集光鏡アセンブリを構成する。二次集光鏡は、この二次集光鏡の各側方縁部と一対の側方鏡の内面との間に僅かな隙間のみが形成されるような長さに形成する。二次集光鏡の一次軸線を含む平面は、一次集光鏡アセンブリの一次軸線を含む平面と実質的に直交する。
二次集光鏡は、自身の焦点ラインを中心として回転するように配列される。各二次集光鏡の焦点ラインは、この焦点ラインを中心として二次集光鏡を回転させることにより、二次集光鏡の一次軸線を、一次集光鏡により反射された太陽光線と常に平行化することが出来るようにする。一対の側方鏡の各下方縁部を含む共通平面は、二次集光鏡の焦点ラインと平行か或は実質的に平行である。
二次集光鏡の反射面は、パラボラ形状の二次集光鏡の通径を越えて或は実質的に越えて伸延しないようにするのが好適である。つまり、二次集光鏡は、この二次集光鏡の一次軸線と直交する方向に伸延し且つ二次集光鏡の焦点ラインを通る平面を越えて或いは実質的に越えては伸延されない。
二次集光鏡の焦点ラインは、二次集光鏡がその焦点ラインを中心として回転され、一対の側方鏡の近接縁部を越えた時でも、二次集光鏡のパラボラ曲線に対する接線と一対の側方鏡の近接縁部との間のなす角度、即ちこの時点では二次集光鏡の焦点ラインを含む前記角度が、装置作動中に９０度よりも実質的に小さくならないよう、平行な一対の側方鏡の近接縁部から或る距離離して配置し、従って、一次集光鏡の焦点ラインから或る距離離して配置する。
本発明の好ましい様相に於て、二次集光鏡と、平行な一対の側方鏡とは主枠体上に支持され、湾曲軌道部を有する支持部材が各二次集光鏡の後方に剛着される。湾曲軌道部は、二次集光鏡の焦点ラインを中心とし且つ常に二次集光鏡の反射面の背後に位置付けられ、二次集光鏡の焦点ラインから常に等距離を維持するよう形成する。一対の側方鏡を支持する主枠体にはガイドを付設し、湾曲軌道部にこのガイドを係合させることにより、二次集光鏡が、前記焦点ラインを常に実質的に一定に保つようにする。各二次集光鏡を、支持部材に結合したリンクアセンブリを介して相互結合し、このリンクアセンブリを移動することにより一対の側方鏡間での全ての二次集光鏡の回転位置を、これらの二次集光鏡の一次軸線が一次集光鏡により反射された太陽光線と整列する状態に維持するのが好ましい。
各二次集光鏡の焦点ラインに沿って、管形態のエネルギー収集要素が伸延される。このエネルギー収集要素は二次集光鏡により集中された光線によって加熱される、油のような熱吸収媒体を担持する。エネルギー収集要素はエネルギー吸収効率を最大化するために外側を黒色でコーティング或いは仕上ることが出来る。エネルギー収集要素は、熱吸収媒体が流通する共通マニホルドに結合するのが好ましい。
一次集光鏡は、相互に平行に伸延する複数の薄い鏡を有し、これらの鏡は、各鏡の幅によってその幅が決定されるところの焦点ライン上に太陽エネルギーを集中する角度に形成するのが好ましい。
パラボラ形状の二次集光鏡は、鏡面或いは高度に研磨した金属のような任意の好適な反射面を有するのが好ましく、またフレネル形状の一連の鏡であっても良い。
二次集光鏡は、例えば垂直軸線か或いは水平軸線を中心として回転することにより太陽の運動を追尾する配列構成とされ、この目的のために、一次集光鏡の一次軸線を含む平面が常に太陽を含むように移動される。斯くして、仮に二次集光鏡を水平軸線を中心として回転するように取り付けたとすると、二次集光鏡はこの水平方向軸線を中心として回転され、東から西へと移動する太陽が一次集光鏡の一次軸線を含む平面に常に含まれるような位置に前記平面を維持する。別態様に於て、二次集光鏡を垂直軸線を中心として回転するよう取り付けた場合には、二次集光鏡は、前記平面が太陽を含み続けるよう、この垂直方向軸線を中心として回転する。更に別態様に於ては、一次集光鏡を構成する各反射要素の各々が太陽を追尾し、固定位置を維持する二次集光鏡に隣り合う位置に太陽光線を集中させる。
（実施例の説明）
先ず図１を参照するに、本発明に従う、放射エネルギー、好適には太陽エネルギーを収集するための放射エネルギー収集アセンブリ１１の配列体１０がプラットフォームアセンブリ１２上に配列され或はこのプラットフォームアセンブリ１２を構成している。プラットフォームアセンブリ１２は、１具体例では浮揚性材料から作製され、水に浮かせて配列される。水は、このプラットフォームアセンブリ１２を垂直軸線を中心として回転させることで太陽を追尾させるための支承体として作用する。この配列構成は、ここに引用することにより本明細書の一部とする米国特許第５，３０９，８９３号に記載される。プラットフォームアセンブリ１２を前述の如く回転させるための軌道手段が設けられる。軌道手段は任意の好適な太陽追尾手段に応答して起動される。別態様に於ては、放射エネルギー収集アセンブリ１１が固定され、内部の集光鏡が移動し、例えば米国特許第４，２８１，６４０号に記載されるように太陽を追尾する。放射エネルギー収集アセンブリ１１の配列体１０が、特定用途上の条件に適合する任意数の放射エネルギー収集アセンブリ１１を有し得ることは勿論である。
各放射エネルギー収集アセンブリ１１の詳細は図２、３及び８に示され、図示されるように、四角形の台座１３を有している。台座１３は、“浮揚”型の具体例ではフォームプラスチック材料のような浮揚性材料から形成され、その上方側部或は上方側部内には、角度を付けた複数の平坦面１４を有する。これらの平坦面１４が、細長ストリップ形状の鏡１５のための取り付け部を画定する。平坦面１４は、台座中心部から外側に向けてパラボラの曲線形状に沿って、水平方向に対する傾斜を徐々に増しつつ台座１３の反対側に達する。これにより鏡１５は、実質的には円筒パラボラ形状の鏡の特性を有し且つ単数或は複数の一次軸線１７を有する一次集光鏡１６の複合体を構成する。各鏡１５で反射された光線は焦点ライン１８で交差する。鏡１５は好適にはガラス或はプラスチックストリップから構成されるが、その他の高反射性材料のものであっても良い。各台座１３は結合要素或は結合アセンブリ１９を介し、その各端部位置で隣り合う台座１３に連結される。結合アセンブリ１９は、台座１３を水に浮揚させた場合に隣り合う放射エネルギー収集アセンブリ１１どうしの台座１３が相対的に水平方向に或る程度ピボット運動出来るようにする。
各鏡１５は太陽エネルギーを、太陽エネルギー収集のための二次集光鏡アセンブリ２０上に或は二次集光鏡アセンブリ２０に向けて集中するべく配列される。
二次集光鏡アセンブリ２０は、台座１３にその下端部が取り付けられ、下方及び外側に傾斜した相対する一対のストラット２１により台座１３の上方に支持される。図４及び図５に示すように、各二次集光鏡アセンブリ２０は、相互に離間しつつ長手方向に平行に伸延する上方枠部材２３を有する矩形枠体２２を有する。上方枠部材２３は鏡１５と平行に伸延し、上方枠部材２３から垂下する側方枠部材２４を支持し、上部を横断方向に伸延する横断方向枠部材２５によって相互に離間される。矩形枠体２２の枠部材は、アルミニュームのような軽量材料から有益に作製され、溶接により相互連結され矩形枠体２２を形成する。側方枠部材２４には、離間して相対する平坦な一対の側方鏡２６が取り付けられる。これらの一対の側方鏡２６はその反射面が相対し且つ相互に平行に伸延し、また一次集光鏡１６の単数或いは複数の一次軸線１７を含む平面の各側の等距離の位置に配列される。一対の側方鏡２６は、その最下方の縁部２７、即ち一次集光鏡１６に近い側の近接縁部が、この一次集光鏡１６の実質的に焦点ライン１８の位置に配置され或は焦点ライン１８と整合するように配置される。近接縁部２７は相互に平行に共通平面内を真っ直ぐに伸延する。
一対の側方鏡２６間には円筒パラボラ形状の二次集光鏡２８が配列される。二次集光鏡２８は、一対の側方鏡２６と、一次集光鏡１６の一次軸線１７とに実質的に直交する方向に伸延する。二次集光鏡２８により形成されるパラボラ形状の通径が線IIで示される。この線IIは、図４で示すように二次集光鏡２８の焦点ライン２９を通り、二次集光鏡２８の一次軸線と直角に交差して伸延する。二次集光鏡２８は、線IIを越えて或は実質的に越えては伸延しない形状とされる。この形態の二次集光鏡２８は、一対の側方鏡２６で反射される最小の複合的反射が加わることで最適のエネルギー収集を提供する。一対の側方鏡２６の縁部２７を含む平面は、二次集光鏡２８の焦点ライン２９と平行である。
二次集光鏡２８は、焦点ライン２９に沿って伸延する回転軸を中心として限定範囲を回転するように支持される。この目的のために、図４及び図５に明瞭に示されるように、二次集光鏡２８の後側中央部には三日月形プレート３０が横方向に配設され、装着材その他好適な固定用配列構成により二次集光鏡２８の裏面に固定される。プレート３０の、焦点ライン２９を中心とし、かくして二次集光鏡２８の回転軸を中心とする弓形の長孔３１が形成される。離間された２対のブラケット３２及び３３が各側の上方枠部材２３に固定され、その間部分に、本具体例ではボルト形態である軸３４と３５とが支持される。軸３４及び３５は、長孔３１を貫いて伸延し、位置決めロール３６を担持する。位置決めロール３６は長孔３１の各側の縁部と係合する。かくして、プレート３０は離間した２つの位置で焦点ライン２９を中心として回転運動するべく支持され、かくして、二次集光鏡２８も同様に支持される。
二次集光鏡２８の回転位置の調節は、共通の調節部材３７により行う。調節部材３７は上方枠部材２３間に位置付けられ、この上方枠部材２３の長手方向に沿って伸延し、離間した横断方向枠部材２５の整列した案内孔を貫通する。調節部材３７は、各二次集光鏡２８に隣り合う一連のラグ３８を担持し且つこのラグに固定される。一対の調節リンク３９が、その各端部位置でピボットピン４０及び４１を介して各ラグ３８に回転自在に連結される。かくして、調節部材３７を長手方向の各側に移動するとラグ３８が長手方向各側に移動し、ラグのこの移動が調節リンク３９を介して各プレートに伝達され、プレート３０は各側に回転し、かくして各二次集光鏡２８が焦点ライン２９を中心として回転する。
各二次集光鏡２８の焦点ライン２９に沿って、管状パイプ形態のエネルギー収集要素４２が伸延される。エネルギー収集要素４２は、一対の側方鏡２６の番号４３の位置の開口部を通過し、接続ダクト４４を介し、矩形枠体２２に関し長手方向に伸延するマニホルドアセンブリ４５に結合される。エネルギー収集要素４２は、図６に明瞭に示されるように、端部４６の位置が閉鎖され、内部にはデバイダ４７が設けられる。デバイダ４７は、エネルギー収集要素４２に沿って伸延するがしかし前記閉鎖された端部４６の直前位置で終端する。デバイダ４７は接続用のダクト４４の全長さに沿って、反対側の端部４８まで伸延される。ダクト４４の端部４８はマニホルドアセンブリ４５の内部にも部分的に入り込む。エネルギー収集要素４２とダクト４４とは、Ｕ字型に一体形成することが出来る。デバイダ４７の端部４８には入口開口４９と出口開口５０とが設けられる。これら各開口はデバイダに沿ってのエネルギー移送媒体の流れ方向に関連してマニホルドアセンブリ４５の各側に開口する。かくして、マニホルドアセンブリ４５内部を流動するエネルギー移動媒体は、ダクト４４の一方の側に於ける入口開口４９からエネルギー収集要素４２に入り、端部４６で反転し、デバイダ４７の別の側に沿って流動し、出口間口５０を出てマニホルドアセンブリ４５に入ることになる。エネルギー移送媒体は好適には、熱エネルギーを収集し、収集した熱エネルギーをマニホルドアセンブリ４５を通して使用位置或は好適な貯蔵場所に搬送することが出来るような油その他流体を含む。
本発明の、太陽エネルギー収集のための放射エネルギー収集アセンブリ１１の操作を図２、３、４、６〜１１を参照して以下に説明する。太陽は一日の内に東から西に移動し、水平位置での日の出の後、昼までに徐々に高度を上げ、徐々に高度を下げて日没となる。太陽高度に関する角度は年間の四季を通じても変動する。かくして、夏場の昼時の太陽の最大高度の角度は、冬場の相当角度よりも実質的に大きい。放射エネルギー収集アセンブリ１１の配列体を、一次集光鏡１６の一次軸線１７を含む平面が、図２で記号Ｓで示す太陽を含み且つ太陽とのこの関係を、太陽が日の出から日没まで移動するに従い回転させることにより維持するように配列する。そうした配列構成は米国特許第５，３０９，８９３号に記載される。鏡１５に当る太陽光線の入射角度は一日の時間と共に、そして季節と共に変動する。かくして、太陽からの番号５１で示す光線は、鏡１５に入射した後、番号５２で示す光線として反射され、太陽エネルギー収集のための二次集光鏡アセンブリ２０に向う。調節部材３７を長手方向に移動して二次集光鏡２８の回転位置を調節し、これらの二次集光鏡２８の一次軸線が、鏡１５で反射された光線５２と実質的に平行となるようにする。一次集光鏡１６の中央部分に当る光線が二次集光鏡２８に直接反射され、この二次集光鏡の位置で、図３及び４に明瞭に示されるようにエネルギー収集要素４２に集中される。一次集光鏡１６の中心部分よりも外側に当る光線も、一次集光鏡１６がパラボラ形状を有することから二次集光鏡アセンブリ２０方向に内向きに配向され、これらの光線が焦点ライン１８で交差する。図９及び１１に番号５３で示すように、或る光線は二次集光鏡２８に当った後に一対の側方鏡２６で反射され、エネルギー収集要素４２上に集中される。反対側の一対の側方鏡２６に当った別の光線もエネルギー収集要素４２上で集中される。別の光線は反対側の一対の側方鏡２６で先ず反射されて二次集光鏡２８に向い、次いでエネルギー収集要素４２上に集中される。
かくして、番号５２及び５３で示す実質的に全ての反射光線が、一対の側方鏡２６間で捕捉されて二次集光鏡２８に反射され、エネルギー収集要素４２上で集中される。
図１０に示すように、二次集光鏡２８の接線IIIが一対の側方鏡２６の下方縁部２７と交差する角度θは二次集光鏡２８の焦点ライン２９を含んでいる。放射エネルギー収集効率を最大化するために、この角度θは９０度以下とすべきではない。図１０に例示する配列構成では角度θは９０度よりも若干大きい。角度θは、二次集光鏡２８が図１０で点線で示す位置へと時計方向に回転するに従い９０度に近づく。しかしながら、角度θが図１０に示すように９０度或は９０度未満である場合には二次集光鏡２８の下端部は、一対の側方鏡２６の近接縁部２７よりも上にあることになる。仮に、一対の側方鏡２６に対する二次集光鏡２８の関係を、図１０に於ける位置での角度θが９０度未満であるように構成すると、二次集光鏡２８の、一対の側方鏡２６の近接縁部２７よりも下側の位置で反射された光線は一対の側方鏡２６には当らず、従ってエネルギー収集要素４２上には集中されないことになる。
説明したようなエネルギー収集要素４２は、このエネルギー収集要素４２で集中した光線により加熱される、油の如きエネルギー伝達媒体を収納する。説明したように、この油はマニホルドアセンブリ４５に沿って、例えばポンプを使用して送られる。油の流れの少なくとも一部分はエネルギー収集要素４２のデバイダ４７の一方側に入口開口４９から入り、デバイダ４７の他方側を逆流して出口開口５０からマニホルドアセンブリ４５に戻る。この間、油はデバイダ４７の各側を流動する間に加熱され、かくして加熱された油としてマニホルドアセンブリ４５に戻る。加熱された油は、例えばタービン駆動のための蒸気発生用途に使用するエネルギーに変換するべく送達される。そうした配列構成は斯界には周知である。
かくして、本発明によれば、高効率的な態様で太陽からの放射エネルギーを収集し且つ集中し、エネルギーを取り出すためのシステムを提供する。平坦な一対の側方鏡或は反射体２６が、太陽からの最大のエネルギーを捕捉し、捕捉したエネルギーを有益なエネルギーに変換するためのエネルギー収集要素４２に集中させることを保証する。例示具体例で使用した二次集光鏡を別の一次集光鏡と共に使用することが出来ることは勿論である。
以上本発明を具体例を参照して説明したが、本発明の内で多くの変更を成し得ることを理解されたい。例えばパラボラ形状の二次集光鏡２８を、任意の態様でその焦点ラインを中心として回転するように支持し、所望であれば各二次集光鏡を独立調節出来るようにしても良い。一次集光鏡１６を、パラボラトラフ形状或はその他類似形状のものとすることも勿論可能である。
集中したエネルギーの取り出しは、エネルギー収集要素４２を流動する流体形式の媒体によるのが好ましいが、これを、集中した放射エネルギーを受け及び或はこれを引き続く使用のための好適な形態に変換することの出来る代替ターゲットに置き換えても良い。
【図面の簡単な説明】
図１は本発明に従う太陽エネルギー収集装置の平面図である。
図２は相並んだ一対の太陽エネルギー収集装置を示す正面図である。
図３は端部突合わせ状態で配置した複数の太陽エネルギー収集装置の正面図である。
図４は二次集光鏡及び二次集光鏡のための調節機構の一部を、一対の側方鏡の１つを取り外した状態で例示する側面図である。
図５は、図４をＩ方向から見た側面図である。
図６は二次集光鏡と関連するエネルギー収集要素及びマニホルドの拡大図である。
図７はエネルギー収集要素と、関連するダクト及びマニホルドとの間の連接部分の拡大図である。
図８は図２から図５に示す形式の太陽エネルギー収集装置の全体配列構成を示す斜視図である。
図９は二次集光鏡アセンブリが、一次反射鏡で反射され且つ変換された太陽の放射エネルギーを捕捉する様子を例示した側面図である。
図１０は二次集光鏡アセンブリの概略側面図である。
図１１は二次集光鏡アセンブリの端部方向からの概略側面図である。
（符号の説明）
１０  放射エネルギー収集アセンブリの配列体
１１  放射エネルギー収集アセンブリ
１２  プラットフォームアセンブリ
１３  台座
１４  平坦面
１５  鏡
１６  一次集光鏡
１７  一次軸線
１８  焦点ライン
１９  結合アセンブリ
２０  二次集光鏡アセンブリ
２１  ストラット
２２  矩形枠体
２３  上方枠部材
２５  横断方向枠部材
２６  側方鏡
２７  近接縁部
２８  二次集光鏡
２９  焦点ライン
３０  三日月形プレート
３１  弓形の長孔
３２、３３  ブラケット
３４、３５  軸
３６  位置決めロール
３７  調節部材
３８  ラグ
３９  調節リンク
４０、４１  ピボットピン
４２  エネルギー収集要素
４４  接続ダクト
４５  マニホルドアセンブリ
４６  端部
４７  デバイダ
４８  端部
４９  入口開口
５０  出口開口
５１  光線
５２、５３  反射光線
【図１】
0003678424.tif 000002
【図２】
0003678424.tif 000003
【図３】
0003678424.tif 000004
【図４】
0003678424.tif 000005
【図５】
0003678424.tif 000006
【図６】
0003678424.tif 000007
【図７】
0003678424.tif 000008
【図８】
0003678424.tif 000009
【図９】
0003678424.tif 000010
【図１０】
0003678424.tif 000011
【図１１】
0003678424.tif 000012